(57)【要約】【課題】  簀枠が変形することなく、また、先行する簀枠と後続の簀枠同士が絡み合うことなく、確実に分離して、下段羽根チェーンコンベアから受け渡された簀枠を確実に反転させて、上段羽根チェーンコンベアへ受け渡しする簀枠の反転装置を提供する。【解決手段】  下段羽根チェーンコンベア１２から爪チェーンコンベア１１へ受け渡された簀枠Ｍの短尺棒８１の両端部をガイドする左右一対の固定ガイド１４、１４ａと、固定ガイド１４、１４ａの出側に載置された簀枠Ｍの短尺棒８１を上方に持ち上げ可能なガイド羽根１５が円周方向に等ピッチで実質的に放射状に複数設けられ、かつ軸方向にも複数組設けられた羽根ホイール２９と、ガイド羽根１５を爪チェーンコンベア１１の間欠搬送に同期して１ピッチずつ間欠的に一方向のみに回転する羽根駆動手段１６とを有する。【選択図】        図２
2005126165.tif 000002
【特許請求の範囲】
【請求項１】
乾燥室内に配置され、隙間を有して平行に配置された長尺棒及び短尺棒を有する簀枠を各羽根間に挟持して搬送する上段羽根チェーンコンベア及び下段羽根チェーンコンベアの搬送路中間部にあって、前記簀枠の両側に突出する長尺棒を掛止する爪を有し、前記下段羽根チェーンコンベアに前記簀枠を搬入し前記上段羽根チェーンコンベアから前記簀枠を搬出する爪チェーンコンベアと一体となって、前記下段羽根チェーンコンベアから前記上段羽根チェーンコンベアに前記簀枠を移し変える簀枠の反転装置において、
前記下段羽根チェーンコンベアから、前記長尺棒の長さより短い間隔で対となる左右の爪チェーンが配置された前記爪チェーンコンベアへ受け渡された前記簀枠の短尺棒の両端部をガイドする左右一対の固定ガイドと、
前記固定ガイドの出側に配置され、かつ前記固定ガイドの出側に載置された前記簀枠の短尺棒を上方に持ち上げ可能なガイド羽根が、円周方向に等ピッチで実質的に放射状に複数設けられ、かつ軸方向にも複数組設けられた羽根ホイールと、
前記ガイド羽根を前記爪チェーンコンベアの間欠搬送の休止期間に同期して１ピッチずつ間欠的に一方向のみに回転させ、前記固定ガイドを介して順次搬送される前記簀枠の短尺棒を、間欠回転する別の前記ガイド羽根に載せる羽根駆動手段とを備えていることを特徴とする簀枠の反転装置。
【請求項２】
請求項１記載の簀枠の反転装置において、前記羽根駆動手段は前記下段羽根チェーンコンベア、前記上段羽根チェーンコンベア及び前記爪チェーンコンベアと同一の駆動源により連動運転され、かつ、同期運転されていることを特徴とする簀枠の反転装置。
【請求項３】
請求項２記載の簀枠の反転装置において、前記羽根駆動手段は、前記ガイド羽根の基端が固定されたラチェット回転軸と、
前記ラチェット回転軸に設けられたラチェットホイールと、
前記駆動源に連結された連動回転軸に設けられたクランクに一端部がピンを介して連結された往復動ロッドの他端部にピンを介して連結され、しかも前記ラチェット回転軸の回りに回動可能な駆動レバーと、
前記駆動レバーに回動可能に設けられ、前記ラチェットホイールに掛合及び掛合解除して該ラチェットホイールを一方向のみ間欠的に回動する回動ラチェットと、
前記ラチェットホイールに掛合及び掛合解除して該ラチェットホイールの逆転を防止する逆転防止ラチェットとを備えたことを特徴とする簀枠の反転装置。
【請求項４】
請求項１〜３のいずれか１項に記載の簀枠の反転装置において、前記ガイド羽根の先部は、側面視して、前記羽根ホイールの回転方向と反対の回転方向に曲がってく字状に形成されていることを特徴とする簀枠の反転装置。
【発明の詳細な説明】
【技術分野】
【０００１】
本発明は、簀枠を用いて海苔の搬送及び乾燥に使用する複数段に設けられた搬送用羽根チェーンコンベア間で、下段羽根チェーンコンベアから受け渡された簀枠を反転して上段羽根チェーンコンベアに送る簀枠の反転装置に関する。
【背景技術】
【０００２】
従来、簀枠Ｍを用いて生海苔を乾燥する装置及び方法が知られている。図９〜図１１に示すように、この装置には、機械側と乾燥側との間を、反時計回りに循環する爪チェーンコンベア１７０が使用されている。生海苔を乾燥する方法として、まず、機械側の低いレベル１７２において爪チェーンコンベア１７０の爪チェーン１８５により所定のピッチを保持して間欠的に搬送される簀枠Ｍに設けられた複数の簀９５に、水分を含んだ生海苔が供給される。次いで、生海苔が押さえ手段によりある程度脱水された後、乾燥側の下段羽根チェーンコンベア１７３の下面側１７４に簀枠Ｍが受け渡される。
【０００３】
下段羽根チェーンコンベア１７３により簀枠Ｍは下段羽根チェーンコンベア１７３の下面側１７４から先端部を経由して上面側１７５に搬送され、乾燥側の基端部で反転されてから、上段羽根チェーンコンベア１７７の下面側１７８に受け渡される。さらに、簀枠Ｍは上段羽根チェーンコンベア１７７の下面側１７８から先端部を経由して上面側１７９に搬送され、乾燥側の基端部から爪チェーンコンベア１７０により機械側の高いレベル１７１に受け渡される。なお、乾燥側で搬送されている簀９５に付着させた生海苔は、下方から上方（又は上方から下方）に流れる温風１８０により水分が徐々に取り除かれて乾燥海苔となり、機械側に搬送された乾燥海苔は機械側の高いレベル１７１に設置されたはぎ取り手段により簀９５から取り除かれる。
【０００４】
そして、例えば、特許文献１には、下段羽根チェーンコンベア１７３から受け渡された簀枠Ｍを自動的に反転させて、上段羽根チェーンコンベア１７７へ受け渡しすることができる簀枠の反転装置１７６が記載されている。
簀枠の反転装置１７６は下段羽根チェーンコンベア１７３から爪チェーンコンベア１７０へ受け渡された簀枠Ｍの短尺棒８１の両端部をガイドする一対の固定ガイド１８２、１８２ａと、固定ガイド１８２、１８２ａの上方に配置され、かつ固定ガイド１８２、１８２ａとの間に簀枠Ｍの短尺棒８１の両端部が通過する隙間Ｇを形成でき、しかも付勢手段（図示せず）により先端部１８３が回動可能に押付けられて固定ガイド１８２、１８２ａに当接する一対の枠反転カム１８４、１８４ａとを備えている。
【０００５】
かかる構成によって、爪チェーンコンベア１７０による簀枠Ｍの搬送に伴って、簀枠Ｍの短尺棒８１の両端部が、固定ガイド１８２、１８２ａによってガイドされながら、前記付勢手段による付勢力に抗して枠反転カム１８４、１８４ａの先端部１８３を押し上げて隙間Ｇを通過して奥側へ移動し、その後、前記付勢手段により固定ガイド１８２、１８２ａに先端部１８３が当接した枠反転カム１８４、１８４ａの上側のガイド面に沿って、上段羽根チェーンコンベア１７７側に移動することができる。
【０００６】
詳細に説明すると、簀枠Ｍの受け渡し搬送手段は爪チェーンコンベア１７０を備えており、爪チェーンコンベア１７０の爪チェーン１８５は、図に示すように、それぞれ２０リンクを有し、かつ２０リンクのうち連続する４つのリンクに２つの爪Ｎを左右方向に対向して２組設けた爪チェーン単体を所定のセット数分無端に連結した構造となっている。爪チェーン１８５はチェーンスプロケットホイール１８６〜１８９に噛合しており、反転用のチェーンスプロケットホイール１９０のみ爪チェーン１８５に外接している。
【０００７】
各リンク毎に棒状の羽根Ｂを取付けた下段羽根チェーンコンベア１７３のヘッド側は、上下に２つのチェーンスプロケットホイール１９０、１９１を備えており、上段羽根チェーンコンベア１７７のヘッド側は、チェーンスプロケットホイール１９２を備えている。また、下段羽根チェーンコンベア１７３及び上段羽根チェーンコンベア１７７の下方にはそれぞれ、コンベアの下面側１７４、１７８を搬送時に簀枠Ｍを支持するチェーンコンベア（図示せず）が設けられている。なお、簀枠Ｍは図１１に示すように、その両端部が１組の対向する爪Ｎの間、又は羽根Ｂの間に挟まれて引っ張られ又は押される長尺棒９３と、長尺棒９３と所定の間隔をあけて平行に配置された前記短尺棒８１と、長尺棒９３、短尺棒８１に両端部が連結され、長尺棒９３に直交する方向に間隔をあけて設けられた５本の棒材９４と、隣り合う棒材９４間の中央部に設けられた簀９５とを備えている。
【０００８】
図１１中の符号Ｔは簀枠Ｍの長尺棒９３の両端部を爪チェーンコンベア１７０の爪チェーン１８５の外側に沿ってガイドする側面視してＶ字状の長尺棒ガイドを表している、符号ｇは下段羽根チェーンコンベア１７３及び上段羽根チェーンコンベア１７７の下方の左右に設けられた、簀枠Ｍの長尺棒９３の両端部を支持する一対のガイドレールを表している。さらに、符号Ｓは左右の固定ガイド１８２、１８２ａ間の中央に設けられ、搬送される簀枠Ｍの中央部の下端をガイドする円弧状で、断面山形状の簀枠ガイドを、符号Ｕは枠反転カム１８４、１８４ａのガイド面１８４ｂに接続して、簀枠Ｍの短尺棒８１の両端部を上段羽根チェーンコンベア１７７への受け渡し位置までガイドする短尺棒ガイドを、符号Ｖは簀枠Ｍの長尺棒９３と短尺棒８１との間に直交して等ピッチで設けられた５本の棒材９４のうち、中心に対して同じ距離に設けられた２本の棒材９４をガイドする回転可能な円板状ガイドを表している。
【０００９】
【特許文献１】特開２００２−２６５０３４号公報（第１〜４図）
【発明の開示】
【発明が解決しようとする課題】
【００１０】
しかしながら、前記従来の簀枠の反転装置１７６においては、未だ解決すべき以下のような問題があった。
例えば、スプリングのような付勢手段により先端部１８３が固定ガイド１８２、１８２ａに当接するように押付けられて回動可能な一対の枠反転カム１８４、１８４ａは、使用によりスプリングが当初の性能を発揮することができなくなって、先端部１８３が固定ガイド１８２、１８２ａに当接することができなくなると、先行する簀枠Ｍの短尺棒８１と後続の簀枠Ｍの短尺棒８１の搬送ルートを区別することができず、これにより、簀枠Ｍ同士が絡み合うという問題があった。この問題点を改善しようとして、スプリングの付勢力を大きくすると、簀枠Ｍの短尺棒８１がスプリングの付勢力に抗して枠反転カム１８４、１８４ａの先端部１８３を押し上げて隙間Ｇを通過する際、簀枠Ｍが変形したり、又は隙間Ｇを通過できないという問題が発生した。
【００１１】
本発明はこのような事情に鑑みてなされたもので、簀枠が変形することなく、また、先行する簀枠と後続の簀枠同士が絡み合うことなく、確実に分離して、下段羽根チェーンコンベアから受け渡された簀枠を自動的に反転させて、上段羽根チェーンコンベアへ受け渡しすることができる簀枠の反転装置を提供することを目的とする。
【課題を解決するための手段】
【００１２】
前記目的に沿う請求項１記載の簀枠の反転装置は、乾燥室内に配置され、隙間を有して平行に配置された長尺棒及び短尺棒を有する簀枠を各羽根間に挟持して搬送する上段羽根チェーンコンベア及び下段羽根チェーンコンベアの搬送路中間部にあって、前記簀枠の両側に突出する長尺棒を掛止する爪を有し、前記下段羽根チェーンコンベアに前記簀枠を搬入し前記上段羽根チェーンコンベアから前記簀枠を搬出する爪チェーンコンベアと一体となって、前記下段羽根チェーンコンベアから前記上段羽根チェーンコンベアに前記簀枠を移し変える簀枠の反転装置において、
前記下段羽根チェーンコンベアから、前記長尺棒の長さより短い間隔で対となる左右の爪チェーンが配置された前記爪チェーンコンベアへ受け渡された前記簀枠の短尺棒の両端部をガイドする左右一対の固定ガイドと、
前記固定ガイドの出側に配置され、かつ前記固定ガイドの出側に載置された前記簀枠の短尺棒を上方に持ち上げ可能なガイド羽根が、円周方向に等ピッチで実質的に放射状に複数設けられ、かつ軸方向にも複数組設けられた羽根ホイールと、
前記ガイド羽根を、前記爪チェーンコンベアの間欠搬送の休止期間に同期して１ピッチずつ間欠的に一方向のみに回転させ、前記固定ガイドを介して順次搬送される前記簀枠の短尺棒を、間欠回転する別の前記ガイド羽根に載せる羽根駆動手段とを備えている。
【００１３】
請求項２記載の簀枠の反転装置は、請求項１記載の簀枠の反転装置において、前記羽根駆動手段は前記下段羽根チェーンコンベア、前記上段羽根チェーンコンベア及び前記爪チェーンコンベアと同一の駆動源により連動運転され、かつ、同期運転されている。
請求項３記載の簀枠の反転装置は、請求項２記載の簀枠の反転装置において、前記羽根駆動手段は、前記ガイド羽根の基端が固定されたラチェット回転軸と、前記ラチェット回転軸に設けられたラチェットホイールと、前記駆動源に連結された連動回転軸に設けられたクランクに一端部がピンを介して連結された往復動ロッドの他端部にピンを介して連結され、しかも前記ラチェット回転軸の回りに回動可能な駆動レバーと、前記駆動レバーに回動可能に設けられ、前記ラチェットホイールに掛合及び掛合解除して該ラチェットホイールを一方向のみ間欠的に回動する回動ラチェットと、前記ラチェットホイールに掛合及び掛合解除して該ラチェットホイールの逆転を防止する逆転防止ラチェットとを備えている。
請求項４記載の簀枠の反転装置は、請求項１〜３記載の簀枠の反転装置において、前記ガイド羽根の先部は、側面視して、前記羽根ホイールの回転方向と反対の回転方向に曲がってく字状に形成されている。
【発明の効果】
【００１４】
請求項１〜４記載の簀枠の反転装置は、下段羽根チェーンコンベアから長尺棒が爪チェーンコンベアに受け渡された簀枠の短尺棒を、まず固定ガイドにより固定ガイドの入側から出側までガイドし、次いで、羽根駆動手段により羽根ホイールのガイド羽根を１ピッチずつ間欠的に一方向のみに回転して、固定ガイドの出側に載置された簀枠の短尺棒をガイド羽根を介して上方に持ち上げることによって、後続の簀枠の短尺棒を別ガイド羽根に載せるので、搬送ルートを区別することができ、先行及び後続の簀枠同士が絡み合うという問題を解決でき、その結果、簀枠を確実に反転することができる。
特に、請求項２記載の簀枠の反転装置においては、羽根駆動手段は下段羽根チェーンコンベア、上段羽根チェーンコンベア及び爪チェーンコンベアと同一の駆動源により連動運転され、かつ、同期運転されているので、間欠運動が確実に実施され、簀枠をさらに確実に反転することができる。
【００１５】
請求項３記載の簀枠の反転装置においては、連動回転軸に設けられたクランクに往復動ロッドを介して連結されしかもラチェット回転軸の回りに回動可能な駆動レバーに回動可能に設けられた回動ラチェットが、逆転防止ラチェットと一体となって、ラチェット回転軸に設けられたラチェットホイールに掛合及び掛合解除するので、ラチェット回転軸に固定されたガイド羽根を一方向のみ間欠的に確実に回動することができる。
請求項４記載の簀枠の反転装置においては、ガイド羽根の先部は、側面視して、羽根ホイールの回転方向と反対の回転方向に曲がってく字状に形成されているので、簀枠の短尺棒を上方に持ち上げる際、短尺棒が上側に移動する距離が短くなり、この結果、簀枠の移動をスムーズに行なうことができ、且つ装置をコンパクトに構成することができる。
【発明を実施するための最良の形態】
【００１６】
続いて、添付した図面を参照しつつ、本発明を具体化した実施の形態につき説明し、本発明の理解に供する。
ここで、図１は本発明の一実施の形態に係る簀枠の反転装置を適用した海苔の製造プロセスの説明図、図２は同簀枠の反転装置によって簀枠が移し変えられる状態を示す説明図、図３は同簀枠の反転装置の説明図、図４は同簀枠の反転装置の羽根駆動手段の一部を平面視した説明図、図５は同簀枠の反転装置の羽根ホイール及び簀枠の説明図、図６は同簀枠の反転装置の固定ガイド及び羽根ホイールの概略説明図、図７は同簀枠の反転装置の羽根ホイール及び羽根駆動手段の説明図、図８は同簀枠の反転装置による簀枠の移し変えの過程を示す説明図である。
【００１７】
図１、図２、図５及び図８に示すように、本発明の一実施の形態に係る簀枠の反転装置１０は、海苔の製造プロセスにおいて、隙間を有して平行に配置された長尺棒９３及び短尺棒８１を有する簀枠Ｍの両側に突出する長尺棒９３の両端部を、所定のピッチで取付けられた爪Ｎによって掛止して、乾燥室（図示せず）内に配置された下段羽根チェーンコンベア１２に簀枠Ｍを搬入し、かつ上段羽根チェーンコンベア１３から搬出し、主として機械側で簀枠Ｍを搬送する爪チェーンコンベア１１と一体となって、下段羽根チェーンコンベア１２の上面側１２ａから受け渡された簀枠Ｍ（短尺棒８１が長尺棒９３より上位置にある状態）を自動的に反転させて、上段羽根チェーンコンベア１３の下面側１３ａに移し変える装置である。
【００１８】
上段羽根チェーンコンベア１３及び下段羽根チェーンコンベア１２は、乾燥室内において所定の間隔をあけて上下に平行に配置され、簀枠の反転装置１０は、この搬送路の中間部に設けられている。以下、これらについて詳細に説明する。なお、下段羽根チェーンコンベア１２及び上段羽根チェーンコンベア１３の長手方向をＸ方向、Ｘ方向に直交する水平方向をＹ方向、Ｘ方向及びＹ方向に直交する方向（垂直方向）をＺ方向と定義する。
【００１９】
図１〜図６に示すように、簀枠の反転装置１０は、下段羽根チェーンコンベア１２から、長尺棒９３の長さより短い間隔で対となる左右の爪チェーン１７、１７ａが配置された爪チェーンコンベア１１へ受け渡された簀枠Ｍの短尺棒８１の両端部をガイドする左右一対の固定ガイド１４、１４ａと、固定ガイド１４、１４ａの出側に配置され、かつ固定ガイド１４、１４ａの出側に載置された簀枠Ｍの短尺棒８１を上方に持ち上げ可能なガイド羽根１５が、円周方向に等ピッチで実質的に放射状に複数個（本実施の形態では９個）設けられかつ軸方向にも複数組（本実施の形態では３組）設けられた羽根ホイール２９と、ガイド羽根１５を、爪チェーンコンベア１１の間欠搬送の休止期間に同期して１ピッチずつ間欠的に一方向のみに回転させ、固定ガイド１４、１４ａを介して順次搬送される簀枠Ｍの短尺棒８１を、間欠回転する別のガイド羽根１５に載せる羽根駆動手段１６とを備えている。
【００２０】
図１〜図３に示すように、爪チェーンコンベア１１の爪チェーン１７、１７ａは、それぞれ２０リンクを備え、しかも２０リンクのうち連続する４つのリンクには２つの爪Ｎを左右方向に対向して２組設けた爪チェーン単体が所定のセット数分無端に連結されている。爪チェーン１７、１７ａには、下段羽根チェーンコンベア１２のヘッド部近傍では下から上に向かってチェーンスプロケットホイール１８〜２０が内側から噛合しており、上段羽根チェーンコンベア１３のヘッド部近傍ではチェーンスプロケットホイール２１が内側から噛合し、さらに、チェーンスプロケットホイール２０の上方で、且つチェーンスプロケットホイール２１の下方で、しかもチェーンスプロケットホイール２０、２１より機械側には、大径の反転用チェーンスプロケットホイール２２が外側から噛合している。
【００２１】
図１及び図２に示すように、各リンク毎に棒状の羽根Ｂを取付けた下段羽根チェーンコンベア１２のヘッド部は、上下に２つのチェーンスプロケットホイール２３、２４を備えており、一方、各リンク毎に棒状の羽根Ｂを取付けた上段羽根チェーンコンベア１３のヘッド部は、チェーンスプロケットホイール２５を備えている。また、下段羽根チェーンコンベア１２及び上段羽根チェーンコンベア１３の下方にはそれぞれ、簀枠Ｍの長尺棒９３の両端部を支持する一対のガイドレール２６、２７が左右に設けられている。なお、下段羽根チェーンコンベア１２に２つのチェーンスプロケットホイール２３、２４を上下に設けている理由は、下段羽根チェーンコンベア１２の往復する上下の羽根チェーン１２ｂ、１２ｃの高さ方向の中心部ｔに、乾燥用の熱源を配置するためのスペースを必要とするため、また、爪チェーンコンベア１１と下段羽根チェーンコンベア１２との噛み合いのタイミングを合わせるためである。
【００２２】
図２において、爪チェーンコンベア１１から下段羽根チェーンコンベア１２に簀枠Ｍを搬入し、一方、上段羽根チェーンコンベア１３から爪チェーンコンベア１１に簀枠Ｍを搬出する際の簀枠Ｍの受け渡しの状態を説明する。下段羽根チェーンコンベア１２のヘッド側下部では、簀枠Ｍが爪チェーンコンベア１１から下段羽根チェーンコンベア１２に受け渡され、下段羽根チェーンコンベア１２のヘッド側上部では、簀枠Ｍが下段羽根チェーンコンベア１２から爪チェーンコンベア１１に受け渡されている。一方、上段羽根チェーンコンベア１３のヘッド側下部では、簀枠Ｍが爪チェーンコンベア１１から上段羽根チェーンコンベア１３に受け渡され、上段羽根チェーンコンベア１３のヘッド側上部では、簀枠Ｍが上段羽根チェーンコンベア１３から爪チェーンコンベア１１に受け渡されている。
【００２３】
図３〜図７において詳細に示すように、簀枠の反転装置１０の羽根駆動手段１６は、９等分されたピッチで９個のガイド羽根１５の基端が一体的に固定されたボス部２８を備えた羽根ホイール２９が３個長手方向に間隔をあけて取付けられたラチェット回転軸３０と、ラチェット回転軸３０の駆動側端部にキーを介して設けられたラチェットホイール３１とを備えている。
【００２４】
羽根駆動手段１６は、さらに、連動回転軸３２に設けられたクランク３３に一端部（下端部）がピン３４を介して連結された往復動ロッド３５の他端部（上端部）にピン３６を介して連結され、しかもラチェット回転軸３０の回りに回動可能な駆動レバー３７と、駆動レバー３７に回動可能に設けられ、ラチェットホイール３１に掛合及び掛合解除してラチェットホイール３１を一方向（反時計回り）のみ間欠的に回動する回動ラチェット３８と、ラチェットホイール３１に掛合及び掛合解除してラチェットホイール３１の逆転を防止する逆転防止ラチェット３９とを備えている。往復動ロッド３５は長さを調整可能なようにターンバックル式としている。
【００２５】
図２〜図４を参照して、羽根駆動手段１６が下段羽根チェーンコンベア１２、爪チェーンコンベア１１及び上段羽根チェーンコンベア１３と同一の駆動源の一例である減速機付き電動モータ４３により連動運転され、かつ、同期運転されている構成について説明する。
減速機付き電動モータ４３により連動駆動される連動回転軸３２の両端部及び中央部は固定フレーム４０のＹ方向に間隔をあけて設けられた軸受４１、４１ａ、４１ｂにより回転自由に支持されている。連動回転軸３２のＹ方向軸受４１、４１ｂ間の軸受４１ｂ近くには、２条のチェーンスプロケットホイール４２が設けられている。固定フレーム４０の下部に取付けられたモータ架台４０ａには、減速機付き電動モータ４３が設けられており、減速機付き電動モータ４３の出力軸４３ａの基側には、２条のチェーンスプロケットホイール４４が設けられている。また、減速機付き電動モータ４３の出力軸４３ａの先側にはチェーンスプロケットホイール４５が設けられている。
【００２６】
連動回転軸３２とＸ方向に間隔をあけて、連動回転軸３２より若干高いレベルに連動回転軸４６が配置されており、連動回転軸４６の両端部及び中央部は固定フレーム４０のＹ方向に間隔をあけて設けられた軸受４７、４７ａ、４７ｂにより回転自由に支持されている。連動回転軸４６の両端部にはそれぞれ、チェーンスプロケットホイール４８、チェーンスプロケットホイール４９、５０が設けられている。連動回転軸４６の中央部には、Ｙ方向に間隔をあけて間欠駆動制御用の回転盤５１と、ラチェットホイール５２が取付けられている。ラチェットホイール５２の下部には、ラチェットホイール５２の逆転を防止する逆転防止ラチェット５３が設けられている。
回転盤５１と掛合する間欠駆動制御部材５４が取付けられた回転軸５５の両端部が、固定フレーム４０のＹ方向に間隔をあけて設けられた軸受５６、５６ａより回転自由に支持されており、間欠駆動制御部材５４と軸受５６との間には、チェーンスプロケットホイール５７が取付けられている。
【００２７】
連動回転軸３２に設けられたチェーンスプロケットホイール４２と、減速機付き電動モータ４３の出力軸４３ａに設けられたチェーンスプロケットホイール４４とには、２条の無端チェーン５８が、チェーンスプロケットホイール４２、チェーンスプロケットホイール４４間に設けられたチェーン張力調整用のチェーンスプロケットホイール５９を介して取付けられている。一方、減速機付き電動モータ４３の出力軸４３ａに設けられたチェーンスプロケットホイール４５と、回転軸５５に設けられたチェーンスプロケットホイール５７とには、無端チェーン６０が、チェーンスプロケットホイール４５、チェーンスプロケットホイール５７間に設けられたチェーン張力調整用のチェーンスプロケットホイール６１を介して取付けられている。
【００２８】
図１〜図３に示すように、爪チェーンコンベア１１の一対の爪チェーン１７、１７ａの移動方向をガイドするための対となるチェーンスプロケットホイール６２、６２ａ、６３、６３ａ、６４、６４ａ等が固定フレーム４０のＹ方向に間隔をあけて設けられている。爪チェーンコンベア１１の一対の爪チェーン１７、１７ａを駆動するためのチェーンスプロケットホイール６５、６５ａ、６６、６６ａも、チェーンスプロケットホイール６２、６２ａ、６３、６３ａ、６４、６４ａ等と同様それぞれ、固定フレーム４０のＹ方向に間隔をあけて設けられた軸受６７、６７ａ、６８、６８ａにより回転自由に支持されている。
【００２９】
チェーンスプロケットホイール６５、６５ａはそれぞれ、連動回転軸４６に設けられたチェーンスプロケットホイール４８、５０と無端チェーン６９、６９ａを介して連結されており、無端チェーン６９、６９ａのチェーン張力を調整するための小径のチェーンスプロケットホイール７０、７０ａがチェーンスプロケットホイール４８、５０の直上に取付けられている。一方、チェーンスプロケットホイール６６は連動回転軸４６に設けられたチェーンスプロケットホイール４９と無端チェーン７１を介して連結されており、無端チェーン７１のチェーン張力を調整すると共に、無端チェーン７１の移動方向をガイドするための小径のチェーンスプロケットホイール７２〜７５が、チェーンスプロケットホイール６６、４９間で、しかもチェーンスプロケットホイール６６、４９より下方に配置されている。
【００３０】
かかる構成によって、減速機付き電動モータ４３の運転により、チェーンスプロケットホイール４５を回転させて無端チェーン６０を介してチェーンスプロケットホイール５７を回転させ、回転軸５５に設けられた間欠駆動制御部材５４と回転盤５１との掛合により、連動回転軸４６を間欠的に回転させ、この間欠的な動作をチェーンスプロケットホイール４８、５０及び無端チェーン６９、６９ａによりチェーンスプロケットホイール６５、６５ａに伝達すると共に、チェーンスプロケットホイール４９及び無端チェーン７１によりチェーンスプロケットホイール６６に伝達することができる。
【００３１】
図３、図４及び図７に示すように、連動回転軸３２の軸受４１側の軸端には卵形をした板材からなるクランク３３の機端部がねじ締結により取付けられており、クランク３３のの先端部には往復動ロッド３５の下端部に連結するピン３４が設けられている。往復動ロッド３５の上端部は、先端部に設けられたピン３６を介して駆動レバー３７に連結されている。
【００３２】
図７に示すように、ラチェット回転軸３０の両端部は、固定フレーム４０のＹ方向に間隔をあけて設けられた軸受７６、７６ａにより回転自由に支持されている。ラチェット回転軸３０の軸受７６側の端部には、駆動レバー３７の基端部に設けられた円筒状のボス部７７がラチェットホイール３１のボス部外周面に摺動可能に設けられている。駆動レバー３７のボス部７７の外周面に一体的に取付けられた外形く字状の板材からなるレバー本体３７ａの内側で、かつラチェットホイール３１側には、図３に示すように、ピン７８を介して、外形が略三角形状の板材からなる回動ラチェット３８が回動可能に取付けられている。
【００３３】
図３及び図７に示すように、駆動レバー３７のボス部７７の内側には、回動ラチェット３８に掛合及び掛合解除する特別な形状の歯が複数（本実施の形態では１８個）周囲に形成された板材からなるラチェットホイール３１がラチェット回転軸３０に一体的に取付けられている。
図３に示すように、反時計回りのみ回転するラチェットホイール３１の下部には、ラチェットホイール３１の歯に掛合して、ラチェットホイール３１の逆転を防止する逆転防止ラチェット３９が、固定フレーム４０に設けられた取付け板３９ａに取付けたピン３９ｂを介して設けられている。逆転防止ラチェット３９の先端側の掛止部は、ピン３９ｂの回りを回動可能に重錘又はバネなどの付勢部材を介して常時、ラチェットホイール３１に押し付けられている。
【００３４】
かかる構成によって、減速機付き電動モータ４３の運転により、チェーンスプロケットホイール４４、無端チェーン５８及びチェーンスプロケットホイール４２を介して回転する連動回転軸３２に設けたクランク３３により、往復動ロッド３５を介して駆動レバー３７をラチェット回転軸３０回りに揺動させることによって、羽根ホイール２９のガイド羽根１５を１ピッチずつ、反時計回りに間欠的に回転することができる。
【００３５】
図２〜図４に示すように、連動回転軸３２の軸受４１ａ側の軸端には、クランク３３と位相をずらしてクランク７９が設けられている。クランク７９の先端部には、往復動ロッド８２の下端部に連結するピン８３が設けられている。往復動ロッド８２の上端部は、対となるチェーンスプロケットホイール２４の回転軸２４ａに設けられた駆動レバー８０の先端部にピン８１ａを介して連結されている。なお、回転軸２４ａにも、連動回転軸３２と同様、下段羽根チェーンコンベア１２の無端チェーンを間欠的に駆動するためのラチェットホイール８４を備えており、また、駆動レバー８０には回動ラチェット８５が取付けられ、さらに、固定フレーム４０には逆転防止ラチェット８６が設けられている。
【００３６】
駆動レバー８０のピン８１ａには往復動ロッド８２の他に、上段羽根チェーンコンベア１３の対となるチェーンスプロケットホイール２５の回転軸２５ａに設けられた駆動レバー８７の先端部にピン８７ａを介して連結された連結ロッド８８の下端部が連結されている。なお、回転軸２５ａにも、ラチェット回転軸３０及び回転軸２４ａと同様、上段羽根チェーンコンベア１３の無端チェーンを間欠的に駆動するためのラチェットホイール８９ａを備えており、また、駆動レバー８７には回動ラチェット９０が取付けられ、さらに、固定フレーム４０には逆転防止ラチェット９１ａが設けられている。往復動ロッド８２及び連結ロッド８８は長さを調整可能なようにターンバックル式としている。
【００３７】
かかる構成によって、減速機付き電動モータ４３の運転により、羽根ホイール２９のガイド羽根１５を１ピッチずつ、反時計回りに間欠的に回転すると共に、往復動ロッド８２により駆動レバー８０を揺動させ、同時に往復動ロッド８２に連結された連結ロッド８８により駆動レバー８７を揺動させることにより、下段羽根チェーンコンベア１２及び上段羽根チェーンコンベア１３の無端チェーンを同期させて、間欠的に駆動することができる。なお、間欠運転のピッチは４〜７秒としている。
【００３８】
下段羽根チェーンコンベア１２及び上段羽根チェーンコンベア１３の駆動時に、羽根ホイール２９は停止しており、一方、羽根ホイール２９の駆動時に、下段羽根チェーンコンベア１２及び上段羽根チェーンコンベア１３は停止するようになっている。
また、減速機付き電動モータ４３の運転により、下段羽根チェーンコンベア１２及び上段羽根チェーンコンベア１３の駆動時に、爪チェーンコンベア１１は停止され、一方、下段羽根チェーンコンベア１２及び上段羽根チェーンコンベア１３の停止時に、爪チェーンコンベア１１が駆動するように構成されている。
【００３９】
図５及び図６に示すように、固定ガイド１４、１４ａには、簀枠Ｍの短尺棒８１の両端部をガイドする直線状の枠ガイド面８９が形成されている。また、枠ガイド面８９より僅か下方位置には、左右の固定ガイド１４、１４ａ間の中央に設けられ、搬送される簀枠Ｍの中央部の下端をガイドする円弧状で板状の中央枠ガイド９８が設けられており、中央枠ガイド９８はガイド羽根１５の根元付近で、撓んだ短尺棒８１の中央部分に当接するようになっている。
図２、図３及び図６に示すように、下段羽根チェーンコンベア１２から爪チェーンコンベア１１に受け渡された簀枠Ｍの短尺棒８１の両端部が、固定ガイド１４、１４ａの枠ガイド面８９を入側から出側に（乾燥側から機械側に）少し下方に傾斜してガイドされるようになっている。
【００４０】
図５及び図８に示すように、固定ガイド１４、１４ａの上方には羽根ホイール２９のガイド羽根１５のガイド面１５ａに接続して、簀枠Ｍの短尺棒８１の両端部を上段羽根チェーンコンベア１３への受け渡し位置までガイドする短尺棒ガイド９１が設けられている。なお、短尺棒ガイド９１は羽根ホイール２９側に設けられた上流側ガイド９２と、上段羽根チェーンコンベア１３側に設けられた下流側ガイド９３ａとに分割されており、上流側ガイド９２及び下流側ガイド９３ａには短尺棒８１をガイドするガイド面９２ａが形成されている。
【００４１】
図５中の符号９６は簀枠Ｍの長尺棒９３の両端部を爪チェーンコンベア１１の爪チェーン１７、１７ａの外側に沿ってガイドする側面視してＶ字状の長尺棒ガイドを、符号９７は下段羽根チェーンコンベア１２及び上段羽根チェーンコンベア１３の下方の左右に設けられ、簀枠Ｍの長尺棒９３の両端部を支持する一対のガイドレールを表している。さらに、符号９９は簀枠Ｍの長尺棒９３と短尺棒８１との間に直交して等ピッチで設けられた５本の棒材９４のうち、中心に対して同じ距離に設けられた２本の棒材９４をガイドする回転可能な円板状ガイドを表している。
【００４２】
次いで、本発明の一実施の形態に係る簀枠の反転装置１０の作用について、図８を参照しながら説明する。なお、上段羽根チェーンコンベア１３及び下段羽根チェーンコンベア１２は同一の駆動源である減速機付き電動モータ４３の運転により、上述の構成によって、同期運転されて羽根Ｂの１ピッチＰB 分だけ間欠運転され、上、下段羽根チェーンコンベア１３、１２の間欠運転の間に、爪チェーンコンベア１１は爪Ｎの１ピッチＰN 分だけ間欠運転されるようになっている。
【００４３】
また、図８において、移動している同一時刻における簀枠Ｍの長尺棒９３と短尺棒８１の位置をそれぞれ、１ａ〜７ａ、１ｂ〜７ｂにより示している。長尺棒９３の４ａの位置が下段羽根チェーンコンベア１２から爪チェーンコンベア１１への受け渡しの位置であり、また長尺棒９３の７ａの位置が爪チェーンコンベア１１から上段羽根チェーンコンベア１３への受け渡しの位置である。また、下段羽根チェーンコンベア１２の無端チェーンに設けられた隣合う羽根Ｂ間に記した番号１〜７は、上述した簀枠Ｍの長尺棒９３と短尺棒８１の位置１ａ〜７ａ、１ｂ〜７ｂに対応する簀枠Ｍを挟んでいた番号と一致している。
【００４４】
（１）簀枠Ｍは、下段羽根チェーンコンベア１２の隣合う羽根Ｂ間に長尺棒９３の両端部が挟まれてヘッド部の上面側１２ａに搬送される。
（２）下段羽根チェーンコンベア１２の上面側１２ａのヘッド部に配置されたチェーンスプロケットホイール２３に噛合する部分の無端チェーンに取付けられた隣合う羽根Ｂ間の間隔が図に示すように、広がった放射状になり、爪チェーンコンベア１１の爪チェーン１７、１７ａに取付けられた爪Ｎ（４個の爪Ｎうち、最も後ろに取付けられた爪Ｎ）に掛止される（図８で長尺棒９３の４ａの位置）。
【００４５】
（３）この際、簀枠Ｍの短尺棒８１の位置は４ｂであり、図に示すように、固定ガイド１４、１４ａの入側端部（乾燥室側）の枠ガイド面８９に支持される。
（４）ここで、爪チェーンコンベア１１の爪チェーン１７、１７ａを１ピッチＰN 分だけ送ると、簀枠Ｍの長尺棒９３の位置は４ａから５ａまで移動する。この際、短尺棒８１の位置は固定ガイド１４、１４ａの枠ガイド面８９上を４ｂから５ｂまで移動する。
【００４６】
（５）羽根ホイール２９のガイド羽根１５が１ピッチ分反時計回り回動し、固定ガイド１４、１４ａの出側端部の枠ガイド面８９上の短尺棒８１を持ち上げて、枠ガイド面８９の上方位置５Ｂに移動する。
（６）爪チェーン１７、１７ａの１ピッチＰN 分の移動により簀枠Ｍの長尺棒９３の両端部の位置が５ａから６ａに移動する際、最初は短尺棒８１の両端部がガイド羽根１５を少しだけラチェット回転軸３０側にガイドされ、その後、ガイド羽根１５の半径方向外側にガイドされる。さらに、短尺棒８１の両端部は、羽根ホイール２９のガイド羽根１５のガイド面１５ａに接続して、簀枠Ｍの短尺棒８１の両端部を上段羽根チェーンコンベア１３への受け渡し位置までガイドする短尺棒ガイド９１の上流側ガイド９２のガイド面９２ａに沿ってガイドされて６ｂの位置まで移動する。
【００４７】
（７）さらに、簀枠Ｍの長尺棒９３の両端部の位置が６ａから７ａ、即ち、簀枠Ｍが爪チェーンコンベア１１から上段羽根チェーンコンベア１３への受け渡しの位置に移動する時には、最初は短尺棒８１の両端部が短尺棒ガイド９１の上流側ガイド９２にガイドされ、次に円板状ガイド９９に棒材９４が支持されて上流側ガイド９２を離れ、その後、短尺棒ガイド９１の下流側ガイド９３ａによって上段羽根チェーンコンベア１３側にガイドされ、最終的に短尺棒ガイド９１から外れた７ｂの位置まで移動する。
【００４８】
本発明は前記した実施の形態に限定されるものではなく、本発明の要旨を変更しない範囲での変更は可能であり、例えば、前記したそれぞれの実施の形態や変形例の一部又は全部を組み合わせて本発明の簀枠の反転装置を構成する場合も本発明の権利範囲に含まれる。
【００４９】
前記実施の形態においては、羽根駆動手段１６は下段羽根チェーンコンベア１２、上段羽根チェーンコンベア１３及び爪チェーンコンベア１１と同一駆動源である減速機付き電動モータ４３により連動運転したが、これに限定されず、必要に応じて、段羽根チェーンコンベア１２、上段羽根チェーンコンベア１３及び爪チェーンコンベア１１とは別の駆動源で運転することもできる。また、羽根駆動手段１６は下段羽根チェーンコンベア１２、上段羽根チェーンコンベア１３及び爪チェーンコンベア１１と機械的に同期運転したが、これに限定されず、必要に応じて、電気的に同期運転させることもできる。
【００５０】
羽根ホイール２９をラチェット回転軸３０に間隔をあけて３組設けたが、これに限定されず、状況に応じて、２組又は４組以上設けることもできる。また、ガイド羽根１５を羽根ホイール２９に９個設けたが、これに限定されず、必要に応じて、４〜８個又は１０個以上設けることもできる。
ガイド羽根１５の先部を、側面視して、羽根ホイール２９の回転方向と反対の方向に曲げてく字状に形成したが、これに限定されず、状況に応じて、直線状又は別の曲線状に形成することもできる。
【００５１】
羽根ホイール２９の間欠的な駆動をラチェットホイール３１及び回転ラチェット３８により行なったが、これに限定されず、必要に応じて、別の間欠駆動機構により、例えば、駆動源である電動モータの運転、停止を電気的に制御することにより行なうこともできる。
爪チェーンコンベア１１は機械側に設けたが、これに限定されず、搬送ルートによっては、爪チェーンコンベアを乾燥側に設けることもできる。
【００５２】
羽根ホイール２９のガイド羽根１５に接続して、簀枠Ｍの短尺棒８１の両端部を上段羽根チェーンコンベア１３への受け渡し位置までガイドする短尺棒ガイド９１を、また、搬送される簀枠Ｍの中央部の下端をガイドする中央枠ガイド９８を、さらに、簀枠Ｍの長尺棒９３と短尺棒８１との間に直交して設けられた２本の棒材９４をガイドする円板状ガイド９９を設けたが、これに限定されず、必要に応じて、短尺棒ガイド、中央枠ガイド、円板状ガイドを省略することもできる。
簀枠Ｍの長尺棒９３と短尺棒８１との間に直交して等ピッチで５本の棒材９４を設けたが、これに限定されず、必要に応じて、３、４本又は６本以上とすることもできる。
【図面の簡単な説明】
【００５３】
【図１】本発明の一実施の形態に係る簀枠の反転装置を適用した海苔の製造プロセスの説明図である。
【図２】同簀枠の反転装置によって簀枠が移し変えられる状態を示す説明図である。
【図３】同簀枠の反転装置の説明図である。
【図４】同簀枠の反転装置の羽根駆動手段の一部を平面視した説明図である。
【図５】同簀枠の反転装置の羽根ホイール及び簀枠の説明図である。
【図６】同簀枠の反転装置の固定ガイド及び羽根ホイールの概略説明図である。
【図７】同簀枠の反転装置の羽根ホイール及び羽根駆動手段の説明図である。
【図８】同簀枠の反転装置による簀枠の移し変えの過程を示す説明図である。
【図９】従来例に係る簀枠の反転装置を適用した海苔の製造プロセスの説明図である。
【図１０】同簀枠の反転装置及び周辺装置の側面図である。
【図１１】同簀枠の反転装置及び簀枠の説明図である。
【符号の説明】
【００５４】
１０：簀枠の反転装置、１１：爪チェーンコンベア、１２：下段羽根チェーンコンベア、１２ａ：上面側、１２ｂ、１２ｃ：羽根チェーン、１３：上段羽根チェーンコンベア、１３ａ：下面側、１４、１４ａ：固定ガイド、１５：ガイド羽根、１５ａ：ガイド面、１６：羽根駆動手段、１７、１７ａ：爪チェーン、１８〜２１：チェーンスプロケットホイール、２２：反転用チェーンスプロケットホイール、２３、２４：チェーンスプロケットホイール、２４ａ：回転軸、２５：チェーンスプロケットホイール、２５ａ：回転軸、２６、２７：ガイドレール、２８：ボス部、２９：羽根ホイール、３０：ラチェット回転軸、３１：ラチェットホイール、３２：連動回転軸、３３：クランク、３４：ピン、３５：往復動ロッド、３６：ピン、３７：駆動レバー、３７ａ：レバー本体、３８：回動ラチェット、３９：逆転防止ラチェット、３９ａ：取付け板、３９ｂ：ピン、４０：固定フレーム、４０ａ：モータ架台、４１、４１ａ、４１ｂ：軸受、４２：チェーンスプロケットホイール、４３：減速機付き電動モータ（駆動源）、４３ａ：出力軸、４４：チェーンスプロケットホイール、４５：チェーンスプロケットホイール、４６：連動回転軸、４７、４７ａ、４７ｂ：軸受、４８：チェーンスプロケットホイール、４９：チェーンスプロケットホイール、５０：チェーンスプロケットホイール、５１：回転盤、５２：ラチェットホイール、５３：逆転防止ラチェット、５４：間欠駆動制御部材、５５：回転軸、５６、５６ａ：軸受、５７：チェーンスプロケットホイール、５８：無端チェーン、５９：チェーンスプロケットホイール、６０：無端チェーン、６１：チェーンスプロケットホイール、６２、６２ａ：チェーンスプロケットホイール、６３、６３ａ：チェーンスプロケットホイール、６４、６４ａ：チェーンスプロケットホイール、６５、６５ａ：チェーンスプロケットホイール、６６、６６ａ：チェーンスプロケットホイール、６７、６７ａ：軸受、６８、６８ａ：軸受、６９、６９ａ：無端チェーン、７０、７０ａ：チェーンスプロケットホイール、７１：無端チェーン、７２〜７５：チェーンスプロケットホイール、７６、７６ａ：軸受、７７：ボス部、７８：ピン、７９：クランク、８０：駆動レバー、８１：短尺棒、８１ａ：ピン、８２：往復動ロッド、８３：ピン、８４：ラチェットホイール、８５：回動ラチェット、８６：逆転防止ラチェット、８７：駆動レバー、８７ａ：ピン、８８：連結ロッド、８９：枠ガイド面、８９ａ：ラチェットホイール、９０：回動ラチェット、９１：短尺棒ガイド、９１ａ：逆転防止ラチェット、９２：上流側ガイド、９２ａ：ガイド面、９３：長尺棒、９３ａ：下流側ガイド、９４：棒材、９５：簀、９６：長尺棒ガイド、９７：ガイドレール、９８：中央枠ガイド、９９：円板状ガイド
【図１】
2005126165.tif 000003
【図２】
2005126165.tif 000004
【図３】
2005126165.tif 000005
【図４】
2005126165.tif 000006
【図５】
2005126165.tif 000007
【図６】
2005126165.tif 000008
【図７】
2005126165.tif 000009
【図８】
2005126165.tif 000010
【図９】
2005126165.tif 000011
【図１０】
2005126165.tif 000012
【図１１】
2005126165.tif 000013